(57)【要約】      （修正有）【課題】おむつ等の内面側に備えるパッドの外への水分の漏れ、特に横漏れを防ぐことが可能であり、且つ、使用しやすい、パッド本体に固着する尿漏れ防止パッドを提供する。【解決手段】着用時の外側部を形成する防水材と、着用時の内側部を形成する透水性シート２２と、それらの間に介装される液保持性の吸収体２３と、着用時の内側部に設けられると共に、吸収体の長手方向に沿って、吸収体の長手方向両縁部よりやや中心方向に設けられる左右一対のギャザー２４と、からなる、略長方形状のパッド本体２０の、吸収体の中央長手方向に沿って固着する、液保持性の尿漏れ防止パッド１０であって、男性の陰茎部が挿入可能な開口部が形成された筒体であると共に、陰茎部を挿入しやすく、且つ、陰茎部を挿入した後、陰茎部が抜けない程度に、開口部中央付近から挿入方向に沿って切込み１１を有していることを特徴とする、尿漏れ防止パッド。【選択図】図２
2017113133.tif 000002
【特許請求の範囲】
【請求項１】
着用時の外側部を形成する防水材と、着用時の内側部を形成する透水性シートと、それらの間に介装される液保持性の吸収体と、着用時の内側部に設けられると共に、前記吸収体の長手方向に沿って、前記吸収体の長手方向両縁部よりやや中心方向に設けられる左右一対のギャザーと、からなる、略長方形状のおむつ等の内面側に備えるパッド本体の、前記吸収体の中央長手方向に沿って固着する、液保持性の尿漏れ防止パッドであって、
男性の陰茎部が挿入可能な開口部が形成された筒体であると共に、男性の陰茎部を挿入しやすく、且つ、男性の陰茎部を挿入した後、陰茎部が抜けない程度に、前記開口部中央付近から挿入方向に沿って切込みを有していることを特徴とする、尿漏れ防止パッド。
【請求項２】
前記開口部に、男性の陰茎部を挿入しやすいような切り欠きを有していることを特徴とする、請求項１記載の尿漏れ防止パッド。
【請求項３】
男性の陰茎部の挿入先に穴を備えていることを特徴とする、請求項１、又は２記載の尿漏れ防止パッド。
【発明の詳細な説明】
【技術分野】
【０００１】
本発明は、おむつ等の内面側に備えるパッド本体に固着する尿漏れ防止パッドに関するものである。
【背景技術】
【０００２】
現在普及しているおむつと呼ばれるものは、主として、乳幼児や、一部の高齢者、障害者、入院患者など、排尿や排便を自己の意思で制御できない者や、体の自由が利かないためにトイレに行くことが困難な者が使用するものであり、水分の漏れを防ぐために防水性のある素材で外側を覆い、脱落を防止するために固定、あるいはゴム状の素材などである程度締め、下半身に固定するものである。そして、近年では下記特許文献に記載されるようなおむつが提案されている。
【０００３】
特許文献１では、装着性及びフィット性を向上させた、液透過性の表面シート、液不透過性の裏面シート及び液保持性の吸収体を備えた、所謂パッドと言われるものを内面側に備えると共に、背側部の両側部それぞれに、各々少なくとも２本のファスニングテープを有する背側フラップ部を具備しており、長手方向の両側それぞれに凹状のレッグ縁部が形成されており、股下部における前記吸収体の両側部が、着用時に下方に屈曲して着用者の大腿部内側面に沿って配されるようになされている使い捨ておむつが提案されている。
【先行技術文献】
【特許文献】
【０００４】
【特許文献１】特開２００４−１４１５３２号公報
【発明の概要】
【発明が解決しようとする課題】
【０００５】
しかしながら、前記特許文献１で提案されるようなおむつの内面側に備えるパッドだけでは、吸収体に尿等の水分を完全に吸収させることができず、パッド外への水分の漏れ、特に横漏れを防げない恐れがあった。
【０００６】
本発明は上記実情を考慮したもので、その解決課題は、おむつ等の内面側に備えるパッドの外への水分の漏れ、特に横漏れを防ぐことが可能であり、且つ、使用しやすい、おむつ等の内面側に備えるパッド本体に固着する尿漏れ防止パッドを提供することである。
【課題を解決するための手段】
【０００７】
前記の課題を解決するための本発明は、着用時の外側部を形成する防水材と、着用時の内側部を形成する透水性シートと、それらの間に介装される液保持性の吸収体と、着用時の内側部に設けられると共に、前記吸収体の長手方向に沿って、前記吸収体の長手方向両縁部よりやや中心方向に設けられる左右一対のギャザーと、からなる、略長方形状をなすおむつ等の内面側に備えるパッド本体の、前記吸収体の中央長手方向に沿って固着する、液保持性の尿漏れ防止パッドであって、男性の陰茎部が挿入可能な開口部が形成された筒体であると共に、男性の陰茎部を挿入しやすく、且つ、男性の陰茎部を挿入した後、陰茎部が抜けない程度に、前記開口部中央付近から挿入方向に沿って切込みを有していることを特徴とする。
【０００８】
そして、更なる使用しやすさを考慮するならば、前記開口部に男性の陰茎部を挿入しやすいような切り欠きを有していることが好ましい。
【０００９】
そして、おむつ等の内面側に備えるパッド本体の外への水分の漏れ、特に横漏れを防ぐためにより好適なものとしては、男性の陰茎部の挿入先に穴を備えていることが好ましい。
【発明の効果】
【００１０】
本発明のような構成であれば、パッド本体の吸収体の中央長手方向に沿って固着する液保持性の尿漏れ防止パッドは男性の陰茎部が挿入可能な開口部が形成された筒体であるため、男性が使用する際には、その筒体である本発明の中に陰茎を挿入することで、陰茎を液保持性の尿漏れ防止パッドの内部及び吸収体上に固定することができる。そのため、おむつ等の内部に備えるパッドの外へ水分の漏れ、特に横漏れを防ぐことが可能となる。そして、男性の陰茎部を挿入しやすく、且つ、男性の陰茎部を挿入した後、陰茎部が抜けない程度に、開口部中央付近から挿入方向に沿って切込みを有しているので、使用しやすい。また、女性が使用する際には、その切込みに沿って本発明の尿漏れ防止パッドを盛り上げることで、簡単に股間に液保持性のパッドをフィットさせることができる。そのため、本発明は、男性が使用しても、女性が使用しても、吸収体及び尿漏れ防止パッドに尿等の水分を完全に吸収させることができ、おむつ等の内面側に備えるパッドの外への水分漏れ、特に横漏れを防ぐことができ、且つ、使用しやすいものである。
【００１１】
そして、開口部に男性の陰茎部を挿入しやすいような切り欠きを有している構成であれば、男性の陰茎部を更に挿入しやすく、使用しやすいものとなる。
【００１２】
また、男性の陰茎部の挿入先に穴を備えている構成であれば、吸収体と同素材からなる尿漏れ防止パッドで吸収しきれない水分を吸収体自体にも分散させて吸収させることが容易に可能なので、例え量が多くとも、おむつ等の内部に備えるパッドの外への水分の漏れ、特に横漏れを完全にシャットアウトできる。
【図面の簡単な説明】
【００１３】
【図１】本発明による尿漏れ防止パッドを内側部に固着したパッド本体を示す斜視図である。
【図２】本発明による尿漏れ防止パッドを内側部に固着したパッド本体を示す平面図である。
【図３】本発明による長手方向中心部を中心に細長く盛り上げた尿漏れ防止パッドを内側部に固着したパッド本体を示す平面図である。
【発明を実施するための形態】
【００１４】
以下、この発明の実施の形態を図１から図３を参照して詳細に説明する。まず、本発明による尿漏れ防止パッド１０は、図１に示すように、パッド本体２０の内側に固着するものである。
【００１５】
そして、パッド本体２０は、図１、図２に示すように、防水材２１と、透水性シート２２と、防水材２１と、吸収体２３と、一対のギャザー２４と、一対のゴム２５等からなるものであって、略長方形状のものであり、おむつや紙パンツ、下半身下着等の内面側、使用者の股間に直接接するものである。
【００１６】
防水材２１は、パッド本体２０を使用する際には、外側部となるものであって、主にポリエチレンフィルム等からなる。そして、防水材２１の長手方向両側部には、ゴム２５がそれぞれ前後方向に延びるように配置されている。そして、防水材２１の外面、より詳しくは防水材２１の外面における前部、及び／又は、後部には、接着剤等が塗布された表面を有する接着部材２６を備えており、この接着部材２６をおむつ等の内面における所定位置に貼着することで、パッド本体２０は位置決め装着される。
【００１７】
透水性シート２２は、パッド本体２０を使用する際には、内側部となるものであって、主に不織布等からなるものである。
【００１８】
吸収体２３は、上記の防水材２１と、透水性シート２２の間に介装される液保持性のものであって、主に、吸水紙及びパルプからなるものであり、パッド本体２０の中央部に備えるものである。そして、一般的に、吸水紙の内面に吸水の機能を有するパルプが散布され、そのパルプの下部には粉末状の吸水ポリマー等が散布されている。そして、パルプの内面には透水性シート２２が配置され、防水材２１に対し、外周縁において接着剤等により貼着されている。
【００１９】
ギャザー２４は、吸収体２３の長手方向両縁部よりやや中心方向に一対設けられるものであって、その内側端縁に沿って伸縮体を有しており、その外側端縁において、透水性シート２２に対し、接着剤等によって貼着されている。そして、この伸縮体が伸縮することによってギャザー２４はその内側端縁が浮き上がった状態となり、着用者の股間を包むような状態になっている。
【００２０】
そして、本発明による尿漏れ防止パッド１０は、図２に示すように、吸収体２３上に固着する、より詳しく述べるならば、前記した吸収体２３の中央長手方向に沿うと共に、ギャザー２４より内側に固着するものである。なお、固着方法としては、接着剤等によって貼着する方法でもよいし、糸等で縫い付ける方法でもよいが、ダーツを入れる、言い換えるならば、平面の尿漏れ防止パッド１０を立体にする為に膨らみを持たせる状態でパッド本体２０の内側部に固着し、パッド本体２０と尿漏れ防止パッド１０が一体化する状態になることが好ましい。
【００２１】
そして、本発明による尿漏れ防止パッド１０の素材としては、前記した吸収体２３と同様、主に、吸水紙及びパルプが好ましい。
【００２２】
そして、本発明による尿漏れ防止パッド１０は、男性の陰茎部が挿入可能な大きさの開口部と、男性の陰茎部を包むことができるだけの径を備える筒体である。そして、図２に示すように、開口部中央付近から挿入方向に沿って切込み１１を有している。なお、この切込み１１は、男性の陰茎部を挿入しやすく、且つ、男性の陰茎部を挿入した後、陰茎部が抜けない程度に、備えられるものであって、数センチメートル、望ましくは８センチメートル程度のスリットである。
【００２３】
なお、この切込み１１の手元側、言い換えるならば、男性の陰茎部が挿入可能な大きさの開口部には、男性の陰茎部を挿入しやすいような切り欠き１２を有していることが好ましく、その切り欠き１２と切込み１１と合わせると、本発明による尿漏れ防止パッド１０には、略Ｙの字状のスリットが備えられている。
【００２４】
そして、男性の陰茎部の挿入先に穴を備えている、言い換えるならば、本発明による尿漏れ防止パッド１０が略筒形状や底抜け形状であることが好ましく、そのような構成であれば、吸収体２３と同素材からなる尿漏れ防止パッド１０で吸収しきれない水分を吸収体２３自体に吸収させることが可能なので、例え量が多くとも、パッド本体２０の外への水分の漏れ、特に横漏れを完全にシャットアウトできるものとなる。
【００２５】
上記のような尿漏れ防止パッド１０を内側部に固着したパッド本体２０は、以下のようにして使用することができる。まず、男性が使用する際には、人体の尻部をパッド本体２０の内側部に位置させ、人体の股部からパッド本体２０の前側をギャザー２４が内側に折り込まれないように引き出し、人体にパッド本体２０の内側部の前側を接触させる。そして、それと同時に、筒体である、尿漏れ防止パッド１０の開口部から陰茎部を尿漏れ防止パッド１０内に挿入し、尿漏れ防止パッド１０によって陰茎部を包む。そして、その状態を維持しながら、パッド本体２０をおむつ等の内面に装着する。
【００２６】
そして、女性が使用する際には、図３に示すように、まず、切込み１１に沿って本発明の尿漏れ防止パッド１０を盛り上げる。そして、人体の尻部をパッド本体２０の内側部に位置させ、人体の股部からパッド本体２０の前側をギャザー２４が内側に折り込まれないように引き出し、人体にパッド本体２０の内側部の前側を接触させる。そして、それと同時に、盛り上げた尿漏れ防止パッド１０を股間にフィットさせる。そして、その状態を維持しながら、パッド本体２０をおむつ等の内面に装着する。
【００２７】
なお、本発明の尿漏れ防止パッド１０は、上記実施形態に限定されるものではなく、その趣旨を逸脱しない範囲において適宜変更可能である。そして、このような尿漏れ防止パッド１０は、パッド本体２０の吸収体２３上に固着すると共に、更に首からかけた紐等によって支持し、位置を固定化させたりしてもよい。また、本実施形態例では、パッド本体２０等の内面側に固着する尿漏れ防止パッド１０についての具体的な構成を説明したが、この構成は、パッド本体２０を用いず、例えば男性用の下履き、紙パンツや、おむつに直接に固着させることで男性の陰茎部を位置固定するものなどにも適用してもよい。
【符号の説明】
【００２８】
１０  尿漏れ防止パッド
１１  切込み
１２  切り欠き
２０  パッド本体
２１  防水材
２２  透水性シート
２３  吸収体
２４  ギャザー
２５  ゴム
２６  接着部材
【図１】
2017113133.tif 000003
【図２】
2017113133.tif 000004
【図３】
2017113133.tif 000005